(57)【要約】      （修正有）【課題】緑化舗装用ブロックを所定の路床部エリアに嵌め込み式に設置するだけでブロック本体内の植生マットの植物を大地に根付かせることができと共にその植物が車や人により踏みつけられて摩滅するおそれがなく、ヒートアイランド対策及び緑化対策を十分に且つ容易に図ることができる嵌め込み式緑化舗装構造を提供する。【解決手段】地面を所定広さ及び所定深さで掘り下げて形成された路床部３に複数の緑化舗装用ブロック４を隣接して設置することにより形成される嵌め込み式緑化舗装構造において、上記緑化舗装用ブロック４は、上部及び下部が開放された中空のブロック本体６と、該ブロック本体６の上部に設けられた通気用及び採光用の孔部７を有する上部覆い体８と、上記ブロック本体６内の下部に取付部材９を介して取付けられた植生マット１０とを備えている。【選択図】図２
0003149597.tif 000002
【実用新案登録請求の範囲】
【請求項１】
地面を所定範囲及び所定深さで掘り下げて形成された路床部に複数の緑化舗装用ブロックを隣接して設置することにより形成される嵌め込み式緑化舗装構造において、上記緑化舗装用ブロックは、上部及び下部が開放された中空のブロック本体と、該ブロック本体の上部に設けられた通気用及び採光用の孔部を有する上部覆い体と、上記ブロック本体内の下部に取付部材を介して取付けられた植生マットとを備えていることを特徴とする嵌め込み式緑化舗装構造。
【請求項２】
上記取付部材は、植生マットに串刺し状に挿通されて取付けられる串又は紐からなり、上記ブロック本体には上記串又は紐を通して保持するための保持孔が形成されていることを特徴とする請求項１に記載の嵌め込み式緑化舗装構造。
【考案の詳細な説明】
【技術分野】
【０００１】
本考案は、嵌め込み式緑化舗装構造に関するものである。
【背景技術】
【０００２】
都市部においては、地表がコンクリート舗装やアスファルト舗装で覆われているため、ヒートアイランド現象が発生し易い。このヒートアイランド現象の緩和を図るために、特許文献１に記載の緑化舗装の施工方法が知られている。
【０００３】
この緑化舗装の施工方法ないし舗装構造は、即時脱形方法で製造したコンクリートブロックの表層部及び基層部に保水機能を持つ骨材を混入することにより保水機能を有するブロックを形成し、これら複数のブロック同士を目地幅を保つ目地スぺーサと組合せ、上記目地幅内に土等を充填して芝、草等を植生したものである。
【先行技術文献】
【特許文献】
【０００４】
【特許文献１】特開２００３−１８４０１０号公報
【考案の概要】
【考案が解決しようとする課題】
【０００５】
しかしながら、上記緑化舗装の施工方法ないし舗装構造においては、ブロック間の目地幅内に土等を充填して芝、草等を植生しているに過ぎないため、この舗装構造を駐車スペースや車両通路に適用した場合、植生した芝、草等の植物が車の車輪により踏みつけられて摩滅するおそれがあり、ヒートアイランド対策及び緑化対策が十分に図れない。
【０００６】
そこで、本考案の目的は、上記課題を解決し、緑化舗装用ブロックを所定の路床部エリアに嵌め込み式に設置するだけでブロック本体内の植生マットの植物を大地に根付かせることができると共にその植物が車や人により踏みつけられて摩滅するおそれがなく、ヒートアイランド対策及び緑化対策を十分に且つ容易に図ることができる嵌め込み式緑化舗装構造を提供するにある。
【課題を解決するための手段】
【０００７】
上記目的を達成するために、本考案は、地面を所定範囲及び所定深さで掘り下げて形成された路床部に複数の緑化舗装用ブロックを隣接して設置することにより形成される嵌め込み式緑化舗装構造において、上記緑化舗装用ブロックは、上部及び下部が開放された中空のブロック本体と、該ブロック本体の上部に設けられた通気用及び採光用の孔部を有する上部覆い体と、上記ブロック本体内の下部に取付部材を介して取付けられた植生マットとを備えていることを特徴とする。
【０００８】
上記取付部材は、植生マットに串刺し状に挿通されて取付けられる串又は紐からなり、上記ブロック本体には上記串又は紐を通して保持するための保持孔が形成されていることが好ましい。
【考案の効果】
【０００９】
本考案によれば、緑化舗装用ブロックを所定の路床部エリアに嵌め込み式に設置するだけでブロック本体内の植生マットの植物を大地に根付かせることができると共にその植物が車や人により踏みつけられて摩滅するおそれがなく、ヒートアイランド対策及び緑化対策を十分に且つ容易に図ることができる。
【図面の簡単な説明】
【００１０】
【図１】本考案に係る嵌め込み式緑化舗装構造の実施形態を概略的に示す断面図である。
【図２】嵌め込み式緑化舗装構造を構成する緑化舗装用ブロックの拡大断面図である。
【図３】緑化舗装用ブロックの分解斜視図である。
【図４】緑化舗装用ブロック本体内の下部に植生マットを取付ける際に用いる補助器具の一例を示す概略的斜視図である。
【考案を実施するための形態】
【００１１】
以下に、本考案を実施するための最良の形態を添付図面に基いて詳述する。
【００１２】
図１に示すように、本実施形態に係る嵌め込み式緑化舗装構造１は、地面２を所定範囲及び所定深さで掘り下げて形成された路床部３に複数の緑化舗装用ブロック４を隣接して設置することにより形成されている。先ず、地面を路盤部５まで掘り下げ、この路盤部５上に植栽土を充填することにより所定厚さ例えば３００ｍｍ程度の路床部３を形成する。この路床部３上に形成された高さが１５０ｍｍ程度で且つ所定面積の空間が緑化舗装用ブロック４の嵌め込みスペースになっている。上記路床部３は、目の細かい粒子状の黒土を植栽土として用いており、緑化舗装用ブロック４の上面を水平に保つために、ローラや転圧機で十分に転圧されていることが好ましい。
【００１３】
上記緑化舗装用ブロック４は、図２ないし図３に示すように上部及び下部が開放された中空の成形体であるブロック本体６と、該ブロック本体６の上部に設けられた通気用及び採光用の孔部７を有する上部覆い体８と、上記ブロック本体６内の下部に取付部材である例えば串９を介して取付けられた植生マット１０とから主に構成されている。上記ブロック本体６は、鋼製又は合成樹脂製の成形体であり、例えば縦ａが３３０ｍｍ、横ｂが３３０ｍｍ、高さｈが１５０ｍｍ、厚さｔが５ｍｍであり、車両等の荷重に耐え得る構造とされている。
【００１４】
上記ブロック本体６の上部には通気用及び採光用の孔部７を有する上部覆い体８が設けられている。上部覆い体８としては、網目板（エックスパンデッドメタル）が好ましいが、グレーチングであってもよい。上部覆い体８の裏面にはブロック本体６の内縁部に係合する位置決め用の凸部１１が設けられていてもよい。また、上部覆い体８は、ブロック本体６の上部に固着具例えばネジ等で着脱可能に固定されていることが好ましい。
【００１５】
上記ブロック本体６内の下部には緑化材である植生マット１０が取付部材である例えば串９を介して取付けられている。ブロック本体６内に組み込まれる緑化材としては、タマリュウなどの日本芝や、西洋芝、その他の低層植物が好適である。この緑化材は、例えばタマリュウを育成地からマット状に切り取ったタマリュウの植生マット１０として形成されている。この植生マット１０は、上記ブロック本体６の内側に嵌る大きさに形成されている。
【００１６】
上記ブロック本体内６の下部に植生マット１０を串９で串刺し状にした状態で取付けるために、ブロック本体６の下部周縁部には串９を左右方向及び前後方向に挿通して保持するための保持孔１２が複数個ずつ穿設されている。串９を串刺し状に刺す刺し方としては、図３に示すような一列刺しであってもよく、或いは交差刺しであってもよい。串９の材料としては、時間の経過により土に返る自然界材料である竹や木が好ましい。植生マット１０は、その下面がブロック本体６の下面に略面一になるようにブロック本体６内に取付けられる。植生マット１０の下面がブロック本体６の下面よりも上方に引っ込んでいると根付きにくいので、植生マット１０の下面はブロック本体６の下面と同一か若干下方に突出していることが好ましい。
【００１７】
このように構成された緑化舗装用ブロック４を上記路床部３上の嵌め込みスペース内に並べて嵌め込んだ状態に設置すればよく、これにより緑化舗装構造を容易に施工することができる。この場合、緑化舗装用ブロック４を水平に保つためにブロック本体６と路床部３との間、又はブロック本体６とブロック本体６との間にライナを入れてもよい。ライナは、鋼製、樹脂製、ゴム製、木製の何れであってもよい。緑化舗装用ブロック４内の植生マット１０の下面が路床部３の上面に接しているため、植生マット１０の植物１０ａであるタマリュウが根付き、発育することができる。なお、植生マット１０の植物１０ａが根付き易くするために、路床部３の表面を細い棒状の突起を並べたブラシ状の道具で掻いて起毛状にすることが好ましい。
【００１８】
上記嵌め込み式緑化舗装構造１によれば、緑化舗装用ブロック４内で植生マット１０の植物１０ａが大地に根付いて発育するため、植生マット１０の植物が車両や人に踏まれて摩滅するおそれがなく、大地とこの大地に根付いた植物１０ａとにより周囲の温度上昇を抑えることができる。また、上記嵌め込み式緑化舗装構造１によれば、その上部のスペースを、車両の通行や人の歩行、駐車場や物資を置く場所として有効に活用することができる。
【００１９】
図４はブロック本体６内の下部に植生マット１０を取付ける際に用いる補助器具１３の一例を示す概略的斜視図である。この補助器具１３は、内部に植生マット１０を嵌め込んだブロック本体６を長手方向の一端に載置して位置決めする溝状のガイド枠１４と、このガイド枠１４内にその長手方向に沿って摺動自在に支持された断面Ｌ字状のスライド枠１５とから主に構成されている。
【００２０】
上記ガイド枠１４の長手方向の一端にはブロック本体６を位置決めするストッパー枠１６が設けられている。上記スライド枠１５の水平部１５ａにはこれをスライド操作するための把手１７が設けられ、スライド枠１５の垂直部１５ｂには上記ブロック本体６に形成された保持孔１２に挿通される複数のガイドパイプ１８が突設されている。ガイドパイプ１８内に串９が挿入される。ガイドパイプ１８の先端部は上記保持孔１２に挿入し易いように尖らせるために斜めに切断されている。
【００２１】
上記各ガイドパイプ１８内に串９をセットし、スライド枠１５を前進させて各ガイドパイプ１８を前面の各保持孔１２から後面の各保持孔１２に貫通させたなら、串９の先端を保持して串９を残した状態でスライド枠１５を後退させてガイドパイプ１８をブロック本体６の保持孔１２から抜き去ればよく、これにより串９をブロック本体６及び植生マット１０に対して容易に串刺し状に挿通することができ、作業性が向上する。なお、ガイドパイプ１８に串９を予めセットしないで、ガイドパイプ１８をブロック本体６の保持孔１２に貫通させてから、ガイドパイプ１８内に串９を挿入してもよい。
【００２２】
以上、本考案の実施の形態ないし実施例を図面により詳述してきたが、本考案は前記実施の形態に限定されるものではなく、本考案の要旨を逸脱しない範囲での種々の設計変更が可能である。例えば、植生マットの取付部材としては、紐であってもよい。また、紐は自然界に返る素材で形成されていることが好ましい。なお、紐を用いる場合にも、上記補助器具１３を利用することが可能である。
【符号の説明】
【００２３】
１  嵌め込み式緑化舗装構造
２  地面
３  路床部
４  緑化舗装用ブロック
５  路盤部
６  ブロック本体
７  孔部
８  上部覆い体
９  串（取付部材）
１０  植生マット
１１  凸部
１２  保持孔
１３  補助器具
１４  ガイド枠
１５  スライド枠
１５ａ  水平部
１５ｂ  垂直部
１６  ストッパー枠
１７  把手
１８  ガイドパイプ
【図１】
0003149597.tif 000003
【図２】
0003149597.tif 000004
【図３】
0003149597.tif 000005
【図４】
0003149597.tif 000006